(57)【要約】      （修正有）【課題】従来の収納ラックの欠点を解決して、異なる使用環境に応じてサイズの調整が行える昇降可能な可動式ラックを提供する。【解決手段】昇降可能な可動式ラックは、外側ラック３、外側ラック３に収納される内側ラック４、及び、内側ラック４を外側ラック３に対応させてコントロールして駆動する駆動ユニット５を備える。外側ラック３は、二個の大きさが異なり、互いに調整することが可能なメインフレーム３１、二個のそれぞれ移動し、メインフレーム３１に接続する調整フレーム３２を備えて、メインフレーム３１と調整フレーム３２は共に底部の底部開口３４及び底部開口３４に通じる設置空間３５を枠付けする。メインフレーム３１の大きさ、相互の間隔を調整し、調整フレーム３２を移動させて組み合わせて、メインフレーム３１に接続させることで、異なる使用環境に応じてサイズが調整される効果を達成する。【選択図】図２
0003199540.tif 000002
【実用新案登録請求の範囲】
【請求項１】
二個の相互に間隔をおいたメインフレーム、二個のそれぞれ可動式に前記メインフレームに接続される調整フレームを備えて、前記メインフレーム及び前記調整フレームが共同で、底部に位置する底部開口及び前記底部開口に通じる設置空間を枠付けする外側ラックと、
前記底部開口を通過して、前記外側ラックに対応して昇降可能な形式で前記設置空間に設置される内側ラックと、
前記設置空間に設置されて、コントロールされる形式で前記内側ラックを駆動して前記外側ラックに対応して昇降する駆動ユニットとを備えることを特徴とする昇降可能な可動式ラック。
【請求項２】
いずれのメインフレームにも、二個の互いに間隔をおいた長さ方向フレーム、及び、二個の互いに間隔をおき、且つ、前記長さ方向フレームに対応する高さ方向フレームを有して、いずれの調整フレームも、二個の可動式で前記相互に間隔をおいたメインフレームに対応する幅方向フレームを有し、且つ、前記外側ラックは、着脱可能な状態で、前記長さ方向フレーム、前記高さ方向フレーム及び前記幅方向フレームに固定される複数の外側固定ユニットを備えることを特徴とする請求項１に記載の昇降可能な可動式ラック。
【請求項３】
いずれの外側固定ユニットも、外側固定部材、及び、複数の外側ラックねじを有して、前記外側固定部材は、このうちの一個の長さ方向フレーム及び、対応する高さ方向フレームまたは対応する幅方向フレームに固定されて、いずれの外側ラックねじも、前記外側固定部材及び対応する長さ方向フレーム、高さ方向フレームまたは幅方向フレームに貫通設置されることを特徴とする請求項２に記載の昇降可能な可動式ラック。
【請求項４】
前記内側ラックは、前記外側ラックの前記メインフレームの昇降に対応する形式で前記設置空間中に設置されて、且つ、可動式に前記メインフレーム及び前記調整フレームの内側フレームに接続されることを特徴とする請求項１から請求項３のいずれかに記載の昇降可能な可動式ラック。
【請求項５】
前記内側フレームは、二個の前記幅方向フレーム方向に沿って、間隔をおいて配列される内側幅方向フレーム、及び、二個のそれぞれ前記長さ方向フレーム方向に沿って間隔をおいて配列され、且つ、前記内側幅方向フレームに接続される内側長さ方向フレームを有して、前記内側ラックはさらに、前記内側幅方向フレーム及び内側長さ方向フレームに着脱可能な形式で固定される複数の内側固定ユニットを備えることを特徴とする請求項４に記載の昇降可能な可動式ラック。
【請求項６】
いずれの内側固定ユニットも、内側固定部材、及び、複数の内側ラックねじを有し、前記内側固定部材は、対応する内側長さ方向フレーム及び対応する内側幅方向フレームに固定され、いずれの内側ラックねじも、複数の前記内側固定部材及び対応する内側長さ方向フレームまたは内側幅方向フレームを貫通して設置されることを特徴とする請求項５に記載の昇降可能な可動式ラック。
【請求項７】
前記内側ラックは、さらに、複数の着脱可能な形式で、前記内側固定ユニットに設置されて、前記内側フレームを導引して、前記高さ方向フレームに沿って、延伸方向に昇降させる導入輪を備えることを特徴とする請求項５に記載の昇降可能な可動式ラック。
【請求項８】
前記駆動ユニットは、前記内側ラックの相対する両側に接続される複数の牽引部材を備えて、駆動力を提供して、前記牽引部材及び前記内側ラックのモータを帯動することを特徴とする請求項１に記載の昇降可能な可動式ラック。
【請求項９】
前記駆動ユニットは、さらに、曲がった長い帯状を呈し、且つ、前記外側ラック及び前記内側ラックの間に設置されて、回路を収納するための保護部材を備えることを特徴とする請求項１に記載の昇降可能な可動式ラック。
【請求項１０】
さらに、スイッチを備えて、前記スイッチは、前記駆動ユニットをコントロールするコントロール信号を生成することを特徴とする請求項１に記載の昇降可能な可動式ラック。
【請求項１１】
前記スイッチは、前記コントロール信号を発信する無線発射組み立て部品を備え、前記駆動ユニットは、前記コントロール信号を受信するのに用いる無線受信組み立て部品を備えることを特徴とする請求項１０に記載の昇降可能な可動式ラック。    
【考案の詳細な説明】
【技術分野】
【０００１】
本考案は、ラックに関し、特に、昇降可能な可動式ラックに関する。
【背景技術】
【０００２】
図１を参照しながら説明する。従来の昇降可能な収納ラック１は、外側ラック１１、前記外側ラック１１内に収納される内側ラック１２、及び、前記内側ラック１２を帯動して前記外側ラック１１の昇降に対応させるのに用いる駆動ユニット１３を備える。前記内側ラック１２は、前記外側ラック１１に隣接する側面に形成される複数のスライドレール１２１、前記内側ラック１２を前記スライドレール１２１に沿って上下に移動させる複数の滑車１２２を備える。前記駆動ユニット１３は前記滑車１２２に巻かれる昇降ケーブル１３１、及び、前記昇降ケーブル１３１を駆動するために用いられるモータ１３２を備える。
【０００３】
使用時には、例えば、壁面または天井などの設置したい場所に応じて、まず適度なサイズの外側ラック１１を選択して設置した後、さらに、適度なサイズの内側ラック１２を前記外側ラック１１中に設置する。前記モータ１３２が起動されると、前記昇降ケーブル１３１がリリースまたは巻き上げられて、前記内側ラック１２が前記外側ラック１１に対応して下降または上昇して物品の収納に供する。
【０００４】
従来の昇降可能な収納ラック１は、外側ラック１１と内側ラック１２のサイズがいずれも固定されているため、使用中の住居空間に設置されていた収納ラック１を別の場所に移動させて使用したり、リフォームしたりした場合、従来の収納ラック１は、サイズが合わないために直接使用し続けることができず、また新たに収納ラック１を作り直す必要が生じる。
【考案の概要】
【考案が解決しようとする課題】
【０００５】
したがって、本考案は、従来の収納ラックの欠点を解決して、異なる使用環境に応じてサイズの調整が行なえる昇降可能な可動式ラックを提供することを課題とする。
【課題を解決するための手段】
【０００６】
上記課題を解決するために、本考案の昇降可能な可動式ラックは、外側ラック、内側ラック及び駆動ユニットを備えることを特徴とする。
【０００７】
前記外側ラックは、二個の大きさが異なり、相互に間隔の調整が行なえるメインフレーム、二個のそれぞれ可動式に前記メインフレームに接続される調整フレームを備える。前記メインフレームと前記調整フレームは、共に底部の底部開口及び前記底部開口に通じる設置空間を枠付けする。
【０００８】
前記内側ラックは、前記外側ラック内に収納されて、前記外側ラックの昇降に対応する。
【０００９】
前記駆動ユニットは、コントロールされる状態で前記内側ラックを駆動して、前記外側ラックの昇降に対応させる。
【００１０】
本考案は、前記メインフレームの大きさ、相互の間隔を調整し、前記調整フレームが組み合わさることで、可動式に前記メインフレームに接続されて、異なる使用環境に応じてサイズが調整できる効果を達成する。
【考案の効果】
【００１１】
本考案の昇降可能な可動式ラックは、使用者の使用環境に応じて、前記外側ラック、内側ラックのサイズを調整することで、従来の固定のサイズの前記外側ラック及び内側ラックを使用した場合の、設置場所によって臨機応変に使用することができないという欠点を改善し、且つ、サイズを根拠として使用環境を決めるために、設計したラックが不適合となり、無駄になることがない。
【図面の簡単な説明】
【００１２】
【図１】従来の昇降可能な収納ラックを示した立体図である。
【図２】本考案の昇降可能な可動式ラックの実施例における立体分解図である。
【図３】前記図２の本考案の昇降可能な可動式ラックの実施例をさらに詳細に説明するための正面図である。
【図４】前記図２の本考案の昇降可能な可動式ラックの実施例をさらに詳細に説明するための正面図である。
【考案を実施するための形態】
【実施例】
【００１３】
以下、図面を参照しながら、本発明の好適な実施例について説明する。このうち同じ構成要素は同じ符号を付して説明する。
【００１４】
図２、図３及び図４を参照しながら説明する。本考案の昇降可能な可動式ラック２は、外側ラック３、前記外側ラック３に収納される内側ラック４、コントロールされる状態で前記内側ラック４を駆動して前記外側ラックの昇降に対応させる駆動ユニット５、及び、前記駆動ユニット５を起動または停止させるスイッチ（図示はされない）を備える。
【００１５】
前記外側ラック３は、例えば、壁面、天井等の場所に設置され、二個の相互に間隔をおいたメインフレーム３１、二個のそれぞれ可動式に前記メインフレームに接続される調整フレーム３２、着脱可能な形式で前記メインフレーム３１及び前記調整フレーム３２に固定される複数の外側固定ユニット３３、前記メインフレーム３１と前記調整フレーム３２とによって枠付けされて、底部に位置する底部開口３４及び前記底部開口３４に通じる設置空間３５、前記設置空間３５先端部に設置されて、且つ、前記メインフレーム３１及び前記調整フレーム３２にＵ字型に接続される支え部分３６を備える。
【００１６】
さらに、詳細に説明する。前記外側ラック３のいずれのメインフレーム３１も、二個の互いに間隔をおいた調整可能な長さ方向フレーム３１１、及び、二個の前記長さ方向フレーム３１１に接続され、且つ、互いに間隔をおいた調整可能な高さ方向フレーム３１２を有する。いずれの調整フレーム３２も、二個の前記メインフレーム３１を可動式に接続するための幅方向フレーム３２１を有し、いずれの外側固定ユニット３３も、外側固定部材３３１、及び、前記外側固定部材３３１に貫通設置される複数の外側ラックねじ３３２を有する。前記外側固定部材３３１は、このうちの一個の長さ方向フレーム３１１及び、対応する高さ方向フレーム３１２または対応する幅方向フレーム３２１に固定されて、いずれの外側ラックねじ３３２も、前記外側固定部材３３１及び対応する長さ方向フレーム、高さ方向フレーム３１２または幅方向フレーム３２１に貫通設置される。
【００１７】
前記内側ラック４は、前記外側ラック３の設置空間３５中に設置される内側フレーム４１、着脱可能な状態で前記内側フレーム４１に固定されるための複数の内側固定ユニット４２、内側固定ユニット４２上に着脱可能な状態で固定される複数の導入輪４３、及び、多数の大きさが異なり、上下に仕切られて、多層の収納空間を形成するのに用いられる仕切り板４４を備える。
【００１８】
さらに詳細に説明する。前記内側フレーム４１は、二個の前記幅方向フレーム３２１方向に沿って、間隔をおいて配列される内側幅方向フレーム４１１、及び、二個のそれぞれ前記長さ方向フレーム３１１方向に沿って間隔をおいて配列され、且つ、前記内側幅方向フレーム４１１に接続される内側長さ方向フレーム４１２を有して、いずれの内側固定ユニット４２も内側固定部材４２１、及び、前記内側固定部材４２１に設置される複数の内側ラックねじ４２２を有し、前記内側固定部材４２１は、対応する内側幅方向フレーム４１１及び対応する内側長さ方向フレーム４１２に固定される。いずれの内側ラックねじ４２２も、前記内側固定部材４２１及び対応する内側幅方向フレーム４１１または対応する内側長さ方向フレーム４１２を貫通して設置される。
【００１９】
前記駆動ユニット５は、前記支え部分３６に貫通されて設置される複数の巻き軸５１、前記５１に巻きついて設置され、且つ、両端がそれぞれ前記内側ラックに接続され、相対する両側に位置する複数の牽引部材５２、曲がった長い帯状を呈し、且つ、ある一本の支え部分３６及び前記内側ラック４間に設置されて、回路（たとえば、電気ケーブルまたは信号ケーブル等）を収納するための保護部材５３、及び、駆動力を提供するモータ５４を備える。使用時は、前記モータ５４をＯＮにして起動させると、前記牽引部材５２が前記モータ５４の駆動を受けて、前記内側ラック４を引っ張ることで、前記内側ラック４を前記底部開口３４を通過させ、前記外側ラック３に対応して昇降移動させる。さらに、前記導入輪４３は、前記内側フレーム４１を導引して、前記高さ方向フレーム３１２の延伸方向に沿って昇降する。
【００２０】
図３に示したように、下降状態の時、前記内側フレーム４１は、前記底部開口３４に近づき、さらに、この時前記保護部材５３の曲がりの度合いが小さく、ほぼ鉛直方向を呈し、前記保護部材５３の底端は前記内側ラック４に抵触する。
【００２１】
図４に示したように、上昇状態の時、前記内側フレーム４１は上昇して、前記底部開口３４から離れ、同時に、前記保護部材５３の底端を上に向かって帯動して、前記保護部材５３を曲げて、前記内側ラック４の頂上面に抵触させる。収納された回路は保護部材５３の保護を受けて、上下の移動の過程において絡まって破損するのを回避する。
【００２２】
本考案の昇降可能な可動式ラック２は、所定のサイズによって量産された後、実際に設置されて使用する場合、使用者の使用環境の高度や幅に応じて、それぞれ前記メインフレーム３１の長さ方向フレーム３１１、高さ方向フレーム３１２の相互の間隔を定めて、前記外側固定ユニット３３によって、相互に着脱可能な状態で接続されて、さらに、使用環境の奥行きに応じて、前記メインフレーム３１の間隔を定め、前記相互に間隔がおかれたメインフレーム３１が、前記調整フレーム３２に沿って移動して、異なる使用環境の奥行きに応じて、前記調整フレーム３２の幅方向フレーム３２１上において、好適な位置を選択することで、前記外側固定ユニット３３が着脱可能な状態で接続される。同時に、使用者が、上述の前記外側ラック３の設計を完了させた後、前記内側ラック４が前記外側ラック３の設置空間３５中に、対応して調整されて設置され、前記内側幅方向フレーム４１１及び前記内側長さ方向フレーム４１２が、前記長さ方向フレーム及び前記幅方向フレーム３２１の間隔に基づき、前記内側固定ユニット４２によって、相互に着脱可能な状態で設置されて、設置に必要な外側ラック３及び内側ラック４が設置される。再び大きさを調整する場合も、従来の固定されたサイズの外側ラック１１及び内側ラック１２の制限を受けず、前記外側固定ユニット３３及び前記内側固定ユニット４２を取り外して、再び必要に応じて接続位置を調整するだけでよい。移動させての設置やリフォームの際に、空間や環境の制限を受けることなく、また、新たに外側ラック１１及び内側ラック１２を買い足す必要がない上、ラックのサイズを確定した後、大きさに応じて仕切り板４４を製作するため、板材を無駄にすることもない。
【００２３】
さらに、本実施例における前記牽引部材５２は、ソフトな材質の幅の広いキャンバス地の布を使用していて、昇降の過程において断裂しにくい。前記保護部材５３は中空のチェーン状で、前記内側フレーム４１に抵触して、それに伴って上下に昇降し、さらに、前記内側フレーム４１の昇降過程において収納される回路を集中して保護するのに有利で、絡まって破損することがない。
【００２４】
またさらに、本実施例のスイッチは、無線発射組み立て部品（図示はされない）を備えて、コントロール信号を発信する。前記駆動ユニット５は、前記無線発射組み立て部品の無線受信組み立て部品（図示はされない）に対応して、前記コントロール信号を受信して、前記駆動ユニット５のモータ５４のＯＮまたはＯＦＦをコントロールする。また、これは従来の技術であるため、その詳細に関してはここでは詳述しない。したがって、本実施例のスイッチは、使用者の必要に応じて、無線コントロールまたは有線タッチコントロールにすることが可能である。さらに、使用上の便利さを高めるために、その必要に応じて、前記スイッチは前記モータ５４をコントロールして、前記内側ラック４は前記外側ラックに対応して昇降する。
【００２５】
このように、本考案の昇降可能な可動式ラック２は、使用者の使用環境に応じて、前記外側ラック３、内側ラック４の長さ方向フレーム３１１、高さ方向フレーム３１２、内側幅方向フレーム４１１、内側長さ方向フレーム４１２、及び、外側固定ユニット３３と内側固定ユニット４２等を相互に組合せ、前記外側ラック３、内側ラック４のサイズを調整することで、従来の固定のサイズの前記外側ラック１１及び内側ラック１２を使用して、設置場所によって臨機応変に使用することができないという欠点を改善して、且つ、サイズを根拠として使用環境を決めるために、設計したラックが不適合であることで無駄になることがないため、確実に本考案の目的を達成する。
【００２６】
以上、本考案の実施例を図面を参照して詳述してきたが、具体的な構成は、これらの実施例に限られるものではなく、本考案の要旨を逸脱しない範囲の設計変更などがあっても、本考案に含まれる。
【符号の説明】
【００２７】
１          収納ラック
１１        外側ラック
１２        内側ラック
１２１      スライドレール
１２２      滑車
１３        駆動ユニット
１３１      昇降ケーブル
１３２      モータ
２          昇降可能な可動式ラック
３          外側ラック
３１        メインフレーム
３１１      長さ方向フレーム
３１２      高さ方向フレーム
３２        調整フレーム
３２１      幅方向フレーム
３３        外側固定ユニット
３３１      外側固定部材
３３２      外側ラックねじ
３４        底部開口
３５        設置空間
３６        支え部分
４          内側ラック
４１        内側フレーム
４１１      内側幅方向フレーム
４１２      内側長さ方向フレーム
４２        内側固定ユニット
４２１      内側固定部材
４２２      内側ラックねじ
４３        導入輪
４４        仕切り板
５          駆動ユニット
５１        巻き軸
５２        牽引部材
５３        保護部材
５４        モータ
【図１】
0003199540.tif 000003
【図２】
0003199540.tif 000004
【図３】
0003199540.tif 000005
【図４】
0003199540.tif 000006